【手続補正書】
【提出日】平成24年5月25日(2012.5.25)
【手続補正１】
【補正対象書類名】特許請求の範囲
【補正対象項目名】全文
【補正方法】変更
【補正の内容】
【特許請求の範囲】
【請求項１】
ゴルフクラブのシャフト及びグリップにおいて、シャフトは、グリップが装着される部分のシャフトの外径が、シャフトのグリップエンド側を細く、ヘッド部側に向けて太くなるテーパ形状とし、グリップの長さと略同等の長さの凹型溝をグリップが装着される部分のシャフト外周面長手方向部分に備え、前記凹型溝はシャフトのグリップエンド側の幅を広く、ヘッド部側に向けて幅が狭くなるテーパ形状を有し、グリップは前記凹型溝に嵌合するテーパ状凸型突起部を内周面長手方向に有することを特徴とするゴルフクラブのシャフト及びグリップ。
【手続補正２】
【補正対象書類名】明細書
【補正対象項目名】全文
【補正方法】変更
【補正の内容】
【発明の詳細な説明】
【発明の名称】ゴルフクラブのシャフト及びグリップ
【技術分野】
【０００１】
本発明は、ゴルフクラブのシャフトに、グリップの装着及び取り外し交換が簡単に出来る機能を、シャフトとグリップの双方に備えた、ゴルフクラブに関するものである。
【背景技術】
【０００２】
従来のゴルフクラブのシャフトとグリップは、両面テープや接着剤等でシャフトに強固に固定されているため、グリップ交換をするためにはカッター等でグリップを切開し、強固に接着固定されているシャフトよりグリップを剥ぎ取る作業も大変であり不便であった。
【０００３】
個人でグリップ交換をする際に、両面テープや接着剤を付けたシャフトにグリップを挿入させる作業には、相当な熟練した交換技術を必要とし不便であった。
【０００４】
また、グリップの交換後は風通しの良い場所に２４時間以上放置して、シャフトにグリップを完全に定着させてからでないとゴルフクラブの使用が出来ない等、不便であった。
【０００５】
従来のゴルフクラブをゴルフバッグ（キャディーバッグ）より出し入れする場合、ゴルフクラブ同士が絡み合い、また、グリップ同士が引っかかり合い、ゴルフバッグ（キャディーバッグ）からのクラブの出し入れがスムーズに出来ず大変に不便であった。
【先行技術文献】
【特許文献】
【０００６】
従来のゴルフクラブ用グリップには、グリップ内径部に凸部を施したものがある。(特許文献１、２参照)
【特許文献１】特許公開２００３−１８０８９２号公報
【特許文献２】特許公開２００７−１８５２５２号公報
【０００７】
また、シャフトとヘッド部の交換が容易に出来る方法として、特許文献3に記載のものがある。
【特許文献３】特許公開２０００−５３４９号公報
【発明の概要】
【発明が解決しようとする課題】
【０００８】
従来のゴルフクラブのシャフトとグリップは、両面テープや接着剤等でシャフトに強固に固定されているため、グリップ交換をするためにはカッター等でグリップを切開し、強固に接着固定されているシャフトよりグリップを剥ぎ取る作業も大変であり、シャフトよりグリップの交換がスムーズに行えないなど欠点があった。
【０００９】
本発明は、このような点に鑑みて成されたものであり、その目的は従来のゴルフクラブでは成し得なかったゴルフクラブのシャフトからグリップの着脱交換が簡単に出来、且つ、ゴルフバッグ（キャディーバッグ）からのゴルフクラブの出し入れが容易に行えるように解決することである。
【課題を解決するための手段】
【００１０】
上記課題を解決するために、本発明は、ゴルフクラブのシャフト及びグリップにおいて、シャフトは、グリップが装着される部分のシャフトの外径が、シャフトのグリップエンド側を細く、ヘッド部側に向けて太くなるテーパ形状とし、グリップの長さと略同等の長さの凹型溝をグリップが装着される部分のシャフト外周面長手方向部分に備え、前記凹型溝はシャフトのグリップエンド側の幅を広く、ヘッド部側に向けて幅が狭くなるテーパ形状を有し、グリップは前記凹型溝に嵌合するテーパ状凸型突起部を内周面長手方向に有することを特徴とする。
【発明の効果】
【００１１】
ゴルフクラブのシャフト、及び、グリップの双方に着脱を容易に行える機能としてシャフトにテーパ状凹型溝を備え、グリップにテーパ状凸型突起部を備えたことに依り、いつでも、どこででも、誰にでも、簡単にシャフトよりグリップの着脱交換が自由に行えるゴルフクラブである。
【００１２】
シャフトからグリップの着脱交換が自由に出来るため、イニシャルや好みの柄などを付けたマイグリップや握力の弱い方にあっては、グリップの太さを自分の握力に合わせたマイグリップを作ることに依り、使用者にとってはいろいろな楽しみ方が期待出来る。
【００１３】
従来のゴルフクラブをゴルフバッグ（キャディーバッグ）から出し入れする場合、ゴルフクラブ同士が絡み合い、また、グリップ同士が引っかかり合い、ゴルフバッグ（キャディーバッグ）からクラブの出し入れが大変であったが、本発明のゴルフクラブはシャフトよりグリップを外した状態でゴルフバッグ（キャディーバッグ）に収納出来るためゴルフクラブ同士の引っかかり合いも無くなり、ゴルフバッグ（キャディーバッグ）よりゴルフクラブの出し入れが容易である。
【００１４】
ゴルフクラブ用ヘッド部のホーゼルにゴルフクラブのシャフトを装着するための機能として、凹型溝、乃至、凸型突起部の機能をヘッド部ホーゼルに備えることに依り、ヘッド部、シャフト部、グリップ部の各部分が分離出来るためコンパクトな収納が可能になり、ゴルフバッグ（キャディーバッグ）のスリム化が期待できる。
【図面の簡単な説明】
【００１５】
【図１】ゴルフクラブの全体図、乃至、グリップ部構成の断面説明図である。
【図２】シャフト端部の内径部に、グリップの固定止めネジ用の雌ネジ部を備えたシャフトの断面説明図である。
【図３】シャフト外周面にテーパ状凹型溝を備えたシャフトの説明図である。
【図４】図３に記載の、シャフトの断面説明図である。
【図５】図４に記載の、シャフト端部の内径部に固定止めネジ用の雌ネジ部を備えたシャフトの断面説明図である。
【図６】図５に記載のシャフトに、テーパ状凸型突起部を備えたグリップを装着したシャフトとグリップの断面説明図である。
【図７】図６に記載の、シャフトの雌ネジ部の説明図である。
【図８】図６に記載のシャフトに、グリップの固定止めネジを装着した状態の断面説明図である。
【図９】グリップの内径部にテーパ状凸型突起部を備えたグリップの説明図である。
【図１０】グリップの内径部にテーパ状多角形面を備えたグリップの説明図である。
【図１１】テーパ状シャフトの外径面にテーパ状多角形面、乃至、シャフト端部に固定止めネジ用雌ネジ部を備えたシャフトの説明図である。
【図１２】図１１に記載のシャフトに、図１０のグリップを装着した状態の断面説明図である。
【図１３】シャフトにグリップを固定させる、固定止めネジの断面説明図である。
【発明を実施するための形態】
【００１６】
ゴルフクラブのシャフトにグリップを取り着けるシャフト端部外径部分の外周面に、グリップの長さと同等程度の長さ分の凹型の溝を備え、その窪んだ凹型の溝の両側の側壁部をテーパ状にして、また、グリップの内径円周面にグリップの長さと同等程度の長さ分のテーパ状の凸型突起部を備え、シャフトのテーパ状凹型溝へグリップのテーパ状凸型突起部部分を挿入させることにより、挿入終了点でシャフトとグリップ双方の凹凸部のテーパ部を合致させ、シャフトに備えた固定止めネジ用の雌ネジ部に固定止めネジを装着固定させることに依り安全に、且つ、機能的に使用が出来るゴルフクラブである。
【実施例】
【００１７】
図１はゴルフクラブの全体図、乃至、グリップ部構成の断面説明図である。
図１において、シャフト１は、ゴルフクラブにグリップ２を装着するシャフト１の外径部分に、そのグリップ２を挿入するシャフト１の端部よりヘッド部１６側に向け、そのシャフト１の外径部分をグリップ２の長さと同等程度分の長さ分をテーパ状にしたシャフトである。
【００１８】
また、前記シャフト１の外径部分のテーパ形状は、シャフト１のグリップ２挿入口側端部を細く、ヘッド部１６側に向け太くする形状である。
【００１９】
図３はシャフト外周面にテーパ状凹型溝を備えたシャフトの説明図である。
図４は図３に記載の、シャフトの断面説明図である。
これらの図において、前記シャフト１のテーパ部分にグリップ２を装着するシャフト１外径部分のテーパ状外周面５に、シャフト端部側１９からヘッド部１６側に向けて、グリップ２の長さと同等程度分の長さのテーパ状凹型溝３を備え、その窪んだテーパ状凹型溝３の両側の側壁部４をテーパ状にしたゴルフクラブのシャフトである。
【００２０】
前記シャフト１のテーパ状凹型溝３の側壁部のテーパ形状は、シャフト端部１９のグリップ挿入口部分の幅を広く、シャフト１のヘッド部１６側に向けて幅が狭くなるテーパ形状である。
【００２１】
テーパ状凹型溝３のテーパ部の長さは、概ねグリップの長さと同等程度の２６ｃｍ〜２７ｃｍ程度の長さである。
【００２２】
図９はグリップの内径部にテーパ状凸型突起部を備えたグリップの説明図である。
図９において、前記シャフト用グリップ２の内径円周面にグリップ２の長さと同等程度の長さ分の、テーパ状凸型突起部６を備えたゴルフクラブ用のグリップである。
【００２３】
グリップ内径円周面のテーパ状凸型突起部６のテーパ形状は、シャフト１への挿入口側のテーパ状凸型突起部側壁部分の幅を狭く、グリップエンド部２３側に向け、テーパ状凸型突起部６の側壁部の幅が広くなるテーパ形状である。
【００２４】
図２はシャフト端部の内径部に、グリップの固定止めネジ用の雌ネジ部を備えたシャフトの断面説明図である。
図５はシャフト端部の内径部に固定止めネジ用の雌ネジ部を備えたシャフトの断面説明図である。
図６は図５に記載のシャフトに、テーパ状凸型突起部を備えたグリップを装着したシャフトとグリップの断面説明図である。
図７は図６に記載の、シャフトの雌ネジ部の説明図である。
図８は図６に記載のシャフトに、グリップの固定止めネジを装着した状態の断面説明図である。
図１３はシャフトにグリップを固定させる、固定止めネジの断面説明図である。
これらの図において、テーパ状凹型溝３のついたシャフト１に、テーパ状凸型突起部６のついたグリップ２をシャフト１の端部側より挿入させシャフト１とグリップ２を合致、固定させ、且つ、シャフト１よりグリップ２が抜け出すのを防止するための固定止めネジ１２用の雌ネジ部１０を、グリップ２を挿入するシャフト端部１９の内径部に備えたシャフトである。
【００２５】
シャフト端部１９の内径部に備えられているグリップ２の固定止めネジ１２用雌ネジ部１０の長さは、概ね1ｃｍ〜1.5ｃｍ程度で十分である。
【００２６】
ゴルフクラブ用シャフトのテーパ状凹型溝３へグリップ２のテーパ状凸型突起部６を挿入させることにより、シャフトの凹型溝３についているテーパと、グリップ２の内径円周面についている凸型突起部６のテーパがシャフト１へのグリップ２を挿入終了点で双方の凹凸部のテーパが合致し、グリップエンド部２３の端部分を固定止めネジ１２で圧着させシャフト１とグリップ２が固定されるため、使用中にシャフト軸とグリップが回転することがなく、安全に使用出来るようにしたゴルフクラブである。
【００２７】
グリップ２を装着したシャフト端部１９の内径部に備えた雌ネジ部１０に固定止めネジ１２を取り着けた後、固定止めネジ１２が緩みシャフト１の雌ネジ部１０より固定止めネジ１２の離脱や事故などを防止するため、固定止めネジ１２用の雄ネジ部１３の長さを概ね１．５ｃｍ〜２．０ｃｍと長めにすることで、固定止めネジ１２が離脱する不測の事故が起きないようにした固定止めネジである。
【００２８】
シャフト端部１９の雌ネジ部１０に着けた固定止めネジ１２の緩みの程度にもよるが、グリップ２と固定止めネジ１２の接する部分が5ミリ程度の緩んだ隙間が開くとグリップ２とシャフト１が固定されていないため、グリップ２とシャフト１間の遊びに使用者が気づくことにより、再度固定止めネジ１２を締め直しすることに依り事故防止が出来る。
【００２９】
グリップエンド部２３側のグリップ輪切り断面の肉厚部分を固定止めネジ１２が緩むのを防止するための、グリップ輪切り断面一周3波程度のゆるやかな波状の起伏をつけたグリップである。
【００３０】
グリップエンド部２３側のグリップ輪切り断面の肉厚部分と接する固定止めネジ１２側の接触面の部分に、固定止めネジ１２が緩むのを防止するための接触面一周3波程度のゆるやかな波状の起伏にした固定止めネジである。
【００３１】
図１０はグリップの内径部にテーパ状多角形面を備えたグリップの説明図である
図１１はテーパ状シャフトの外径面にテーパ状多角形面、乃至、シャフト端部に固定止めネジ用雌ネジ部を備えたシャフトの説明図である。
図１２は図１１に記載のシャフトに、図１０のグリップを装着した状態の断面説明図である。
ゴルフクラブにグリップ２を装着するシャフト端部１９外径部分の外周面を、グリップ２の長さと同等程度の長さ分の五角形、乃至、六角形の多角形の外周面７にしたゴルフクラブのシャフトである。
【００３２】
前記シャフト１の多角形の外周面７をテーパ状にしたゴルフクラブのシャフトである。
【００３３】
前記シャフトの多角形外周面７のテーパ形状は、グリップ２を挿入するシャフト１の端側を細く、シャフト１のヘッド部１６側に向け太くしたテーパである。
【００３４】
前記シャフトに装着するグリップの多角形の内周面８を、前記シャフト１と同様の五角形、乃至、六角形の多角形の形状面にしたゴルフクラブのグリップである。
【００３５】
シャフト１のヘッド部１６側、乃至、シャフト１のグリップ２側の双方に凹型溝又は多角形の形状の機能をシャフトの外径部分に備えることに依り、ヘッド部、シャフト部、グリップ部の着脱交換が容易になり、各部を使用者自身のフィーリングに合わせた自由な組み合わせが出来るゴルフクラブである。
【００３６】
グリップ内周面１５に備えた、凸型突起部６の突き出た凸部の高さはグリップ内周面１５より２ｍｍ程度の高さを有し、そのグリップ内周面１５より突き出た凸部分の幅は２ｍｍ〜３．５ｍｍ程度の範囲内のテーパ状凸型突起部である。
【００３７】
グリップを装着するシャフト１のテーパ状外周面５の外周面部分に備えたテーパ状凹型溝３の深さは、シャフト１のテーパ状外周面５より２．５ｍｍ程度の深さを有し、その溝幅は３．５ｍｍ〜２ｍｍ程度の範囲内のテーパ状凹型溝である。
【００３８】
シャフト１のテーパ状外周面５に備えたテーパ状凹型溝３の形状、乃至、グリップ内径面１５に備えた凸型突起部６凸部分の形状は四角形の形状である。
【００３９】
テーパ状凸型突起部６を備えたグリップ２をシャフト１のテーパ状凹型溝３に挿入、シャフト１、グリップ２双方の凹凸部が合致した時点で、テーパ状凹型溝３の溝底部１４とグリップ内径面１５の凸型突起部６の突き出た凸部分が直接、接することのないよう双方の間に少なくとも０．５ｍｍ程度の隙間があり、テーパ状凹型溝３の溝底部１４と凸型突起部６の突き出た凸部分が直接、接しない構成である。
【００４０】
テーパ状凸型突起部６を備えたグリップ２をシャフト１のテーパ状凹型溝３に挿入、シャフト１、グリップ２双方の凹凸部を合致させた状況でグリップ２の外径表面上に捻れや起伏等の変化が生じない構造である。
【００４１】
シャフト１のテーパ状凹型溝３にテーパ状凸型突起部６のついたグリップ２をシャフト１に挿入装着し、ゴルフクラブを使用する際に、凹凸双方の合致している機能部が合致点から外れたり、シャフト１とグリップ２が固定されずに回転等の状況が起きることのない充分な深さのテーパ状凹型溝３とテーパ状凸型突起部６の凸部の高さが充分な高さと強度を有した機能である。
【００４２】
ゴルフクラブ用グリップ２本体の内径孔１５は、シャフト１へのグリップ２の挿入口側からグリップエンド部２３まで、グリップ２本体の中芯軸を素通しに貫通した筒状である。
【００４３】
テーパ状凹型溝３のシャフト１に、テーパ状凸型突起部６のついたグリップ２を挿入させ、双方の合致した凹凸の側壁部が使用時に於いて、合致した凹凸部が外れたり、グリップ２に変形が生じない強度を有した構成である。
【産業上の利用可能性】
【００４４】
本発明の機能を活用することに依り、シャフトへのグリップの交換が容易にできるようになり、使用者にとっての利用範囲の広がりが期待できる。
【００４５】
また、本発明の機能を活用することに依り、ゴルフバッグ（キャディーバッグ）への収納や取り出しが容易になり、ゴルフバッグ（キャディーバッグ）のスリム化が期待できる。
【符号の説明】
【００４６】
１  シャフト
２  グリップ
３  テーパ状凹型溝
４  側壁部
５  テーパ状外周面
６  テーパ状凸型突起部
７  多角形の外周面
８  多角形の内周面
９  シャフトの内径部
１０  雌ネジ部
１１  雌ネジ
１２  固定止めネジ
１３  雄ネジ部
１４  溝底部
１５  グリップ内周面
１６  ヘッド部
１７  テーパ部
１８  固定止めネジ部のマーカ用の孔
１９  シャフト端部
２０  固定止めネジのグリップを圧着する面
２１  シャフトのテーパ状多角形外周面
２２  クリップのシャフトへの挿入口
２３  グリップエンド部